(57)【要約】  ２次音源の発生を抑制して音質の向上を図る。  土台に固定される支持体と、被固定部を有するスピーカーユニットと、スピーカーユニットを保持するベース筐体とを備え、スピーカーユニットは被固定部が支持体とベース筐体に挟まれた状態で支持体とベース筐体に固定された。これにより、スピーカーユニットの保持状態が安定な状態になり、スピーカーユニットの振動板から大きな振動がスピーカーユニットの振動板以外の部分やスピーカーユニットを保持する部材等に伝達され難く、２次音源の発生が抑制されて音質の向上を図ることができる。
2016103931.tif 000002
【特許請求の範囲】
【請求項１】
土台に固定される支持体と、
被固定部を有するスピーカーユニットと、
前記スピーカーユニットを保持するベース筐体とを備え、
前記スピーカーユニットは前記被固定部が前記支持体と前記ベース筐体に挟まれた状態で前記支持体と前記ベース筐体に固定された
スピーカー装置。
【請求項２】
前記ベース筐体が筒状に形成され、
前記支持体が前記ベース筐体の周方向において複数設けられ、
複数の前記支持体に前記被固定部が固定された
請求項１に記載のスピーカー装置。
【請求項３】
前記スピーカーユニットに振動板と前記振動板を保持するユニット枠とが設けられ、
前記ユニット枠に外方へ張り出されたフランジ部が設けられ、
前記フランジ部が前記被固定部とされた
請求項１に記載のスピーカー装置。
【請求項４】
前記スピーカーユニットから出力される音響と異なる音響を出力するスピーカー部が設けられ、
前記スピーカー部からの音響の出力が振動素子の伸縮によって行われ、
前記ベース筐体に前記振動素子が配置される配置部が形成された
請求項１に記載のスピーカー装置。
【請求項５】
前記ベース筐体の内部と前記被固定部の内部と前記支持体の内部に亘って前記振動素子に接続される配線が配置された
請求項４に記載のスピーカー装置。
【請求項６】
前記被固定部が前記支持体と前記ベース筐体に挟まれた状態で固定用ネジによって固定され、
前記固定用ネジに軸方向において貫通された挿通孔が形成され、
前記挿通孔に前記配線が挿通された
請求項５に記載のスピーカー装置。
【請求項７】
前記ベース筐体が筒状に形成され、
前記ベース筐体の内側に照明体が配置された
請求項１に記載のスピーカー装置。
【発明の詳細な説明】
【技術分野】
【０００１】
本技術は土台に固定される支持体とスピーカーユニットを保持するベース筐体とを有するスピーカー装置についての技術分野に関する。
【先行技術文献】
【特許文献】
【０００２】
【特許文献１】特許第４８３５１３８号公報
【背景技術】
【０００３】
所定の周波数帯域の音響（音声）を出力するスピーカー装置がある。スピーカー装置には、例えば、床面等の土台に設置されて固定される支持体とスピーカーユニットを保持するベース筐体とを有しているものがある（例えば、特許文献１参照）。【０００４】
特許文献１に記載されたスピーカー装置にあっては、支持体として周方向に離隔して位置された三つの脚部が設けられ、脚部によってベース筐体が支えられ、脚部の内側においてスピーカーユニットがベース筐体に取り付けられて保持されている。【０００５】
特許文献１に記載されたスピーカー装置においては、スピーカーユニットがウーファーとして機能し、スピーカーユニットから下向きに音響が出力される。三つの脚部によってスピーカーユニットの下方には空間が形成され、スピーカーユニットから出力された低域の音響が下方の空間から周囲に広がって発せられ、音質の向上が図られている。
【発明の概要】
【発明が解決しようとする課題】
【０００６】
ところで、スピーカー装置にあっては、音響の出力時にスピーカーユニットの振動板が振動する。このときスピーカーユニットが他の部材に対して安定した状態で保持されていないと、振動板から大きな振動がスピーカーユニットの振動板以外の部分やスピーカーユニットを保持するベース筐体等に伝達されてしまい、スピーカーユニットの良好な動作が確保されず、スピーカーユニット以外からの音響の出力と言う２次音源が発生し音質の低下を来すおそれがある。【０００７】
そこで、本技術スピーカー装置は、上記した問題点を克服し、２次音源の発生を抑制して音質の向上を図ることを目的とする。
【課題を解決するための手段】
【０００８】
第１に、本技術に係るスピーカー装置は、土台に固定される支持体と、被固定部を有するスピーカーユニットと、前記スピーカーユニットを保持するベース筐体とを備え、前記スピーカーユニットは前記被固定部が前記支持体と前記ベース筐体に挟まれた状態で前記支持体と前記ベース筐体に固定されたものである。【０００９】
これにより、被固定部が支持体とベース筐体に挟まれるため、スピーカーユニットの保持状態が安定な状態になる。【００１０】
第２に、上記したスピーカー装置においては、前記ベース筐体が筒状に形成され、前記支持体が前記ベース筐体の周方向において複数設けられ、複数の前記支持体に前記被固定部が固定されることが望ましい。【００１１】
これにより、被固定部が複数の箇所で支持体とベース筐体に固定されるため、スピーカーユニットの支持体とベース筐体に対する固定状態が安定する。【００１２】
第３に、上記したスピーカー装置においては、前記スピーカーユニットに振動板と前記振動板を保持するユニット枠とが設けられ、前記ユニット枠に外方へ張り出されたフランジ部が設けられ、前記フランジ部が前記被固定部とされることが望ましい。【００１３】
これにより、フランジ部である被固定部が支持体とベース筐体に挟まれた状態でスピーカーユニットが支持体とベース筐体に固定される。【００１４】
第４に、上記したスピーカー装置においては、前記スピーカーユニットから出力される音響と異なる音響を出力するスピーカー部が設けられ、前記スピーカー部からの音響の出力が振動素子の伸縮によって行われ、前記ベース筐体に前記振動素子が配置される配置部が形成されることが望ましい。【００１５】
これにより、スピーカーユニットを保持する機能を有するベース筐体に振動素子が配置される。【００１６】
第５に、上記したスピーカー装置においては、前記ベース筐体の内部と前記被固定部の内部と前記支持体の内部に亘って前記振動素子に接続される配線が配置されることが望ましい。【００１７】
これにより、ベース筐体と被固定部と支持体が配線の配置部として機能する。【００１８】
第６に、上記したスピーカー装置においては、前記被固定部が前記支持体と前記ベース筐体に挟まれた状態で固定用ネジによって固定され、前記固定用ネジに軸方向において貫通された挿通孔が形成され、前記挿通孔に前記配線が挿通されることが望ましい。【００１９】
これにより、固定用ネジが配線に干渉しない。【００２０】
第７に、上記したスピーカー装置においては、前記ベース筐体が筒状に形成され、前記ベース筐体の内側に照明体が配置されることが望ましい。【００２１】
これにより、スピーカー装置が音響の出力機能の他に照明機能をも有する。
【発明の効果】
【００２２】
本技術によれば、被固定部が支持体とベース筐体に挟まれるため、スピーカーユニットの保持状態が安定な状態になり、スピーカーユニットの振動板から大きな振動がスピーカーユニットの振動板以外の部分やスピーカーユニットを保持する部材等に伝達され難く、２次音源の発生が抑制されて音質の向上を図ることができる。【００２３】
尚、本明細書に記載された効果はあくまでも例示であって限定されるものではなく、他の効果があってもよい。
【図面の簡単な説明】
【００２４】
【図１】図２乃至図７と共に本技術スピーカー装置の実施の形態を示すものであり、本図は、スピーカー装置の斜視図である。
【図２】スピーカー装置の断面図である。
【図３】図２とは異なる面で切断された状態を示すスピーカー装置の断面図である。
【図４】支持体と他の部材との固定状態を示す拡大断面図である。
【図５】スピーカー装置の分解斜視図である。
【図６】振動素子の配置部に対する配置状態等を示す拡大断面図である。
【図７】土台が設置面とされた例を示す斜視図である。
【発明を実施するための形態】
【００２５】
以下に、本技術スピーカー装置を実施するための形態を添付図面に従って説明する。
【００２６】
以下には、例として、据置型のスピーカー装置について説明する。但し、本技術スピーカー装置の適用範囲は据置型のスピーカー装置に限られることはなく、例えば、天井等から吊り下げられる吊下型のスピーカー装置等の他の種類の各種のスピーカー装置に広く適用することができる。
【００２７】
尚、以下に示す上下前後左右の方向は、説明の便宜上示すものであり、本技術はこれらの方向に限定して適用されることはない。
【００２８】
＜スピーカー装置の構成＞
スピーカー装置１は床面等に設置される土台２と土台２に下端部が連結された支持体３、３、・・・と支持体３、３、・・・の上端部が連結された本体４とを有している（図１乃至図３参照）。
【００２９】
土台２は内部に所要の各部が配置された外筐５と外筐５の上端部に取り付けられたディフューザー６とを有している。
【００３０】
外筐５の内部にはバッテリー７と電子回路部８が配置されている（図３参照）。バッテリー７の電力は電子回路部８によって本体４の所要の各部に供給される。
【００３１】
ディフューザー６は中央部が頂点とされ、中央部から外方へ行くに従って下方へ変位する形状に形成されている。
【００３２】
支持体３、３、・・・は周方向において等間隔に離隔して配置されている。支持体３は上下に延びる円筒状に形成され、下端部がディフューザー６を貫通されて外筐５の上端部に連結されている。
【００３３】
支持体３の内部空間は配線配置空間３ａとして形成されている（図４参照）。支持体３における下端部の内面は下側螺溝部３ｂとして形成されている。支持体３の上端部は他の部分より径が一回り小さくされ、この上端部の外面が上側螺溝部３ｃとして形成されている。
【００３４】
支持体３は固定用ネジ９によって外筐５に取り付けられている。固定用ネジ９は頭部１０と螺軸部１１とから成る。固定用ネジ９の内部空間は挿通孔９ａとして形成されている。
【００３５】
固定用ネジ９は頭部１０が螺軸部１１の下側に位置される状態で、外筐５の上端部に形成されたネジ挿通孔５ａを挿通され、螺軸部１１が下側螺溝部３ｂに螺合される。従って、固定用ネジ９によって外筐５に支持体３の下端部が固定される。外筐５に支持体３が固定された状態においては、固定用ネジ９の挿通孔９ａを介して外筐５の内部空間と支持体３の配線配置空間３ａとが連通される。
【００３６】
本体４は機構ユニット１２と振動体１３を有している（図２、図３及び図５参照）。
【００３７】
機構ユニット１２はベース筐体１４の内部に所要の各部が配置されて成る。
【００３８】
ベース筐体１４は、例えば、アルミニウム等の軽量の金属材料によって略円筒状に形成され、下端部に下方及び内方に開口された円環状の配置用切欠１４ａを有している（図４及び図６参照）。ベース筐体１４には下端側に他の部分より内方に張り出された張出部１５が設けられている。張出部１５の上面は台座面１５ａとして形成されている。張出部１５には上下に貫通された貫通孔１６、１６、・・・が周方向において等間隔に離隔して形成されている。貫通孔１６の周面における下半部は螺溝を有する螺合部１６ａとして形成されている（図４参照）。
【００３９】
ベース筐体１４には内周側に内方に突出された配置部１７、１７、１７が張出部１５の上側に連続して設けられ、配置部１７、１７、１７は周方向において等間隔に離隔して設けられている。配置部１７には上方に開口された素子配置穴１７ａが形成されている。
【００４０】
ベース筐体１４の下端部にはスピーカーユニット１８が取り付けられている（図４及び図６参照）。スピーカーユニット１８は、例えば、ウーファーとして設けられ、低域の音響（音声）を出力する機能を有している。スピーカーユニット１８はベース筐体１４の下側の開口を閉塞する状態で取り付けられている。
【００４１】
スピーカーユニット１８は環状に形成されたユニット枠１９とユニット枠１９の下端部に取り付けられた振動板２０とユニット枠１９の上端部に取り付けられた閉塞部材２１と内部に配置された図示しない磁気回路部とを有している。
【００４２】
ユニット枠１９は枠本体部２２と枠本体部２２の下端部から外方に張り出されたフランジ部である被固定部２３とを有している。ユニット枠１９と被固定部２３はスピーカーユニット１８のフレームを構成する。被固定部２３には螺孔２３ａ、２３ａ、・・・が周方向において等間隔に離隔して形成されている。
【００４３】
スピーカーユニット１８は支持体３、３、・・・によってベース筐体１４に固定されている。スピーカーユニット１８は被固定部２３がベース筐体１４の配置用切欠１４ａに挿入されて配置され、支持体３の上側螺溝部３ｃが螺孔２３ａとベース筐体１４の張出部１５に形成された螺合部１６ａに連続して螺合されることによりベース筐体１４に取り付けられる。
【００４４】
スピーカーユニット１８がベース筐体１４に取り付けられた状態においては、被固定部２３がベース筐体１４と支持体３、３、・・・に上下から挟持され、支持体３、３、・・・の配線配置空間３ａ、３ａ、・・・がベース筐体１４の貫通孔１６、１６、・・・を介してベース筐体１４の内部空間に連通される。
【００４５】
このように、スピーカー装置１にあっては、スピーカーユニット１８に振動板２０と振動板２０を保持するユニット枠１９とが設けられ、ユニット枠１９に外方へ張り出されたフランジ部である被固定部２３が設けられている。
【００４６】
従って、被固定部２３が支持体３とベース筐体１４に挟まれた状態でスピーカーユニット１８が支持体３とベース筐体１４に固定されるため、支持体３とスピーカーユニット１８とスピーカーユニット１８の結合作業を一度の作業で容易に行うことができると共にスピーカー装置１の構造の簡素化を図ることができる。
【００４７】
上記のように、スピーカーユニット１８は支持体３、３、・・・とベース筐体１４に固定されており、支持体３、３、・・・とベース筐体１４がスピーカーユニット１８のサウンドアースとして機能する。
【００４８】
ベース筐体１４にはブラケット２４が取り付けられている（図２、図３及び図５参照）。ブラケット２４は円環状に形成された面状取付部２５と面状取付部２５からそれぞれ下方に突出された脚部２６、２６、２６と脚部２６、２６、２６の下端部からそれぞれ外方に突出された被取付面部２７、２７、２７とから成る。面状取付部２５は外径がベース筐体１４の内径より小さくされている。脚部２６、２６、２６は周方向において等間隔に位置されている。
【００４９】
ブラケット２４は被取付面部２７、２７、２７がベース筐体１４の張出部１５に形成された台座面１５ａにネジ止め等によって取り付けられている。ブラケット２４がベース筐体１４に取り付けられた状態においては、面状取付部２５とベース筐体１４の間に円環状の一定の大きさの隙間が形成され（図６参照）、面状取付部２５にはスピーカーユニット１８の閉塞部材２１が下方から挿入されて位置される。
【００５０】
ブラケット２４の面状取付部２５には付勢バネ２８と取付台２９が取り付けられる。
【００５１】
付勢バネ２８は略円環状に形成された基面部２８ａと基面部２８ａから周方向に突出された弾性変形部２８ｂ、２８ｂ、２８ｂとから成る。弾性変形部２８ｂ、２８ｂ、２８ｂは周方向に延びる形状に形成され、基面部２８ａの外周側において基面部２８ａに沿う状態で位置されている。
【００５２】
付勢バネ２８は基面部２８ａがブラケット２４の面状取付部２５の上面にネジ止め等によって取り付けられ、弾性変形部２８ｂ、２８ｂ、２８ｂの少なくとも一部がそれぞれ面状取付部２５の外側に位置される。
【００５３】
取付台２９は略円板状の取付面部２９ａと取付面部２９ａの外周部から下方に突出された被取付突部２９ｂ、２９ｂ、２９ｂとから成る。取付台２９は被取付突部２９ｂ、２９ｂ、２９ｂが付勢バネ２８の基面部２８ａとともに共締めされてブラケット２４の面状取付部２５の上面に付勢バネ２８の上側から取り付けられる。
【００５４】
取付台２９の中央部には照明体３０が取り付けられている。照明体３０はスタンド部３１とスタンド部３１に保持され照明として機能する発光部３２とを有している。発光部３２としては、例えば、発光ダイオード等の発光素子が用いられている。照明体３０はスタンド部３１が取付面部２９ａの上面における中央部に取り付けられている。
【００５５】
配置部１７、１７、１７の素子配置穴１７ａ、１７ａ、１７ａにはそれぞれ保護筒３３、３３、３３が挿入されて配置される（図５及び図６参照）。保護筒３３は軸方向が上下方向にされ樹脂材料によって筒状に形成され、素子配置穴１７ａに嵌合された状態で配置される。
【００５６】
振動素子３４は下端面が素子配置穴１７ａの底面に接した状態にされる。振動素子３４は、例えば、積層型の圧電素子であり、上下に延びる形状に形成され、電圧（駆動信号）が印加されたときの伸縮方向が上下方向にされている。
【００５７】
尚、振動素子３４は圧電素子に限られることはなく、伸縮される素子であればよく、例えば、磁歪素子等の他の素子であってもよい。
【００５８】
配置部１７、１７、１７の素子配置穴１７ａ、１７ａ、１７ａにはそれぞれ保護筒３３、３３、３３の内側に振動素子３４、３４、３４が挿入されて配置される。
【００５９】
振動素子３４は保護筒３３の内面と僅かな隙間を有した状態で配置される。従って、振動素子３４が伸縮され径方向において膨張収縮が繰り返し生じるときに、振動素子３４が素子配置穴１７ａの周面に接触されず振動素子３４が保護される。また、保護筒３３によって振動素子３４の配置部１７に対する倒れが防止される。
【００６０】
支持体３、３、・・・の配線配置空間３ａ、３ａ、・・・には配線３５、３５、・・・が挿入されて配置されている（図４参照）。配線３５は一端部が土台２の内部に配置された電子回路部８に接続され、振動素子３４やスピーカーユニット１８や照明体３０に電力や駆動信号を出力する機能を有している。
【００６１】
配線３５は土台２の内部から固定用ネジ９の挿通孔９ａを通り配線配置空間３ａからスピーカーユニット１８における被固定部２３の螺孔２３ａ及びベース筐体１４の貫通孔１６を通って他端部が振動素子３４やスピーカーユニット１８や照明体３０に接続されている。
【００６２】
このようにベース筐体１４の内部と被固定部２３の内部と支持体３の内部に亘って振動素子３４等に接続される配線３５が配置されることにより、ベース筐体１４と被固定部２３と支持体３が配線３５の配置部として機能しスピーカー装置１の構造の簡素化を図ることができる。
【００６３】
また、スピーカーユニット１８の被固定部２３が支持体３とベース筐体１４に挟まれた状態で固定用ネジ９によって固定され、固定用ネジ９に軸方向において貫通された挿通孔９ａが形成され、挿通孔９ａに配線３５が挿通されている。
【００６４】
従って、固定用ネジ９が配線３５に干渉しないため、被固定部２３の支持体３とベース筐体１４に対する固定に支障を来すことなく配線３５を配置することができる。
【００６５】
振動体１３は音響振動板として機能し、ベース筐体１４より径が一回り小さい円筒状に形成された振動部３６と振動部３６の下端部から内方に突出された結合用突部３７、３７、３７とを有している。結合用突部３７、３７、３７は周方向において等間隔に位置されている。振動体１３は、例えば、アクリル樹脂によって形成されている。
【００６６】
振動体１３は結合用突部３７、３７、３７がネジ止め等によって付勢バネ２８の弾性変形部２８ｂ、２８ｂ、２８ｂに上側から取り付けられ、振動部３６の下側の端面３６ａが振動素子３４、３４、３４の真上に位置されている。振動体１３は付勢バネ２８に取り付けられることにより、付勢バネ２８の付勢力によって下方に付勢される。
【００６７】
従って、振動体１３は付勢バネ２８によって下側の端面３６ａが振動素子３４、３４、３４の上端面に上方から押し付けられている。
【００６８】
振動体１３の上端部にはパッシブラジエーター３８が取り付けられている。パッシブラジエーター３８は、例えば、サブウーファーとして用いられ、振動体１３の振動に伴って低域の音響を出力する機能を有している。パッシブラジエーター３８は、例えば、半透明な材料によって形成され、発光部３２から光が出射されたときに出射された光がパッシブラジエーター３８を透過可能とされている。
【００６９】
＜スピーカー装置の動作＞
上記のように構成されたスピーカー装置１において、ウーファーとして機能するスピーカーユニット１８からは、上記したように、低域の音響が出力される。スピーカーユニット１８から出力された音響はスピーカーユニット１８の下方に位置されたディフューザー６で放射方向へ反射され、広範囲の領域に音響が伝達される。
【００７０】
一方、電子回路部８から振動素子３４、３４、３４に駆動信号が入力されると、入力された駆動信号に応じて振動素子３４、３４、３４が上下方向に伸縮され、振動素子３４、３４、３４に押し付けられている振動体１３が振動される。振動体１３が振動されると、中高域の音響が出力される。従って、振動体１３はツイーターを構成する振動板として機能する。
【００７１】
スピーカー装置１にあっては、振動体１３が筒状に形成され、振動素子３４、３４、３４が振動体１３の周方向に離隔して複数配置されているため、上記した振動体１３の振動が周方向に離隔して配置された複数の振動素子３４、３４、３４によって安定した状態で行われ、音質の向上を図ることができる。
【００７２】
また、振動体１３は付勢バネ２８に周方向に離隔して位置された弾性変形部２８ｂ、２８ｂ、２８ｂによって下側の端面３６ａが振動素子３４、３４、３４に押し付けられる方向へ付勢されている。
【００７３】
従って、弾性変形部２８ｂ、２８ｂ、２８ｂから均等な付勢力が振動体１３の下側の端面３６ａに付与され、振動体１３が安定した状態で振動素子３４、３４、３４に押し付けられ、振動体１３の安定した振動状態を確保することができる。
【００７４】
さらに、スピーカー装置１にあっては、スピーカーユニット１８から出力される音響と異なる音響を出力する振動体１３を有するスピーカー部が設けられ、このスピーカー部からの音響の出力が振動素子３４、３４、３４の駆動によって行われ、ベース筐体１４に振動素子３４、３４、３４が配置される配置部１７、１７、１７が設けられている。
【００７５】
従って、スピーカーユニット１８を保持する機能を有するベース筐体１４に振動素子３４、３４、３４が配置されるため、ベース筐体１４の機能性の向上及びスピーカー装置１の構造の簡素化を図ることができる。
【００７６】
＜まとめ＞
上記したように、スピーカー装置１にあっては、土台２に固定される支持体３、３、・・・と、被固定部２３を有するスピーカーユニット１８と、スピーカーユニット１８を保持するベース筐体１４とが設けられ、スピーカーユニット１８は被固定部２３が支持体３、３、・・・とベース筐体１４に挟まれた状態で支持体３、３、・・・とベース筐体１４に固定されている。
【００７７】
従って、被固定部２３がともにサウンドアースとして機能する支持体３、３、・・・とベース筐体１４に挟まれるため、スピーカーユニット１８の保持状態が安定な状態になり、スピーカーユニット１８の振動板２０から大きな振動が振動板２０以外の部分やスピーカーユニット１８を保持するベース筐体１４等に伝達され難く、２次音源の発生が抑制されて音質の向上を図ることができる。
【００７８】
また、ベース筐体１４が筒状に形成され、支持体３、３、・・・がベース筐体１４の周方向において複数設けられ、複数の支持体３、３、・・・にスピーカーユニット１８の被固定部２３が固定されている。
【００７９】
従って、被固定部２３が複数の箇所で支持体３、３、・・・とベース筐体１４に固定されるため、スピーカーユニット１８の支持体３、３、・・・とベース筐体１４に対する固定状態が安定し、スピーカーユニット１８とその周囲に振動が生じ難く、音質の一層の向上を図ることができる。
【００８０】
さらに、ベース筐体１４が筒状に形成され、ベース筐体１４の内側に照明体３０が配置されているため、スピーカー装置１が音響の出力機能の他に照明機能をも有しており、スピーカー装置１の機能性の向上を図ることができる。
【００８１】
＜その他＞
上記には、付勢バネ２８の弾性変形部２８ｂと振動素子３４が三つずつ設けられた例を示したが、付勢バネ２８の弾性変形部２８ｂと振動素子３４の数は三つずつに限られることはなく、二つ以下であってもよく、四つ以上であってもよい。
【００８２】
また、上記には、付勢バネ２８の弾性変形部２８ｂと振動素子３４が周方向において等間隔に離隔して配置された例を示したが、付勢バネ２８の弾性変形部２８ｂと振動素子３４の配置位置は任意である。
【００８３】
尚、スピーカー装置１が吊下型である場合には、例えば、支持体３によって本体４が天井等から吊り下げられていればよい。
【００８４】
また、スピーカー装置１が据置型である場合に、例えば、図７に示すように、床面等の設置面１００が土台の役割を果たし、支持体３が床面等の設置面１００に固定されていてもよい。この場合には、バッテリー７や電子回路部８が、例えば、ベース筐体１４の内部に配置されていればよい。
【００８５】
＜本技術＞
本技術は、以下のような構成にすることができる。
【００８６】
（１）
土台に固定される支持体と、
被固定部を有するスピーカーユニットと、
前記スピーカーユニットを保持するベース筐体とを備え、
前記スピーカーユニットは前記被固定部が前記支持体と前記ベース筐体に挟まれた状態で前記支持体と前記ベース筐体に固定された
スピーカー装置。
【００８７】
（２）
前記ベース筐体が筒状に形成され、
前記支持体が前記ベース筐体の周方向において複数設けられ、
複数の前記支持体に前記被固定部が固定された
前記（１）に記載のスピーカー装置。
【００８８】
（３）
前記スピーカーユニットに振動板と前記振動板を保持するユニット枠とが設けられ、
前記ユニット枠に外方へ張り出されたフランジ部が設けられ、
前記フランジ部が前記被固定部とされた
前記（１）又は前記（２）に記載のスピーカー装置。
【００８９】
（４）
前記スピーカーユニットから出力される音響と異なる音響を出力するスピーカー部が設けられ、
前記スピーカー部からの音響の出力が振動素子の伸縮によって行われ、
前記ベース筐体に前記振動素子が配置される配置部が形成された
前記（１）から前記（３）の何れかに記載のスピーカー装置。
【００９０】
（５）
前記ベース筐体の内部と前記被固定部の内部と前記支持体の内部に亘って前記振動素子に接続される配線が配置された
前記（１）から前記（４）の何れかに記載のスピーカー装置。
【００９１】
（６）
前記被固定部が前記支持体と前記ベース筐体に挟まれた状態で固定用ネジによって固定され、
前記固定用ネジに軸方向において貫通された挿通孔が形成され、
前記挿通孔に前記配線が挿通された
前記（５）に記載のスピーカー装置。
【００９２】
（７）
前記ベース筐体が筒状に形成され、
前記ベース筐体の内側に照明体が配置された
前記（１）から前記（６）の何れかに記載のスピーカー装置。
【符号の説明】
【００９３】
１…スピーカー装置、２…土台、３…支持体、９…固定用ネジ、９ａ…挿通孔、１４…ベース筐体、１７…配置部、１８…スピーカーユニット、１９…ユニット枠、２０…振動板、２３…被固定部、３０…照明体、３３…保護筒、３４…振動素子、３５…配線
【図１】
2016103931.tif 000003
【図２】
2016103931.tif 000004
【図３】
2016103931.tif 000005
【図４】
2016103931.tif 000006
【図５】
2016103931.tif 000007
【図６】
2016103931.tif 000008
【図７】
2016103931.tif 000009
【国際調査報告】
2016103931.tif 000010
2016103931.tif 000011
2016103931.tif 000012
2016103931.tif 000013